Podtech/llm-jp-corpus-v4-ja_patent huggingface dataset:
(57)【要約】【課題】結婚式の披露宴における新しい演出として、携帯電話を用いた演出方法を提供すること。【解決手段】      インターネットに通信可能なサーバーと、予め制作した新郎新婦専用のＷｅｂページをサーバー上に用意する。サーバーへアクセスするため情報を含むＱＲコードを携帯電話で読み取り、読み取ったＵＲＬを用いてサーバーにアクセスすると、新郎新婦専用のＷｅｂページへアクセスできる。あらかじめ撮影しておいた新郎新婦からのウェルカムメッセージの動画をＷｅｂページ上で配信する。結婚式と披露宴の様子を、列席者が撮影した動画データをメールを使って送付することで、リアルタイムで結婚式披露宴の様子を配信できる。【選択図】図１
2010015530.tif 000002
【特許請求の範囲】
【請求項１】
結婚式の披露宴における新しい演出として、インターネットに対応する携帯電話を利用する演出を行うため、インターネットに通信可能なサーバーを用意し、予めＨＴＭＬファイルもしくはＦｌａｓｈファイルで制作した新郎新婦専用のＷｅｂページをサーバー上に用意する。Ｗｅｂページには、列席者へウェルカムメッセージを配信する項、新郎新婦の写真付き紹介の項、新郎新婦の思い出写真掲載の項、結婚式と披露宴の様子に関するライブ情報の項、結婚式二次会の案内掲載の項、の少なくとも一を項として含むことを特徴とする結婚式披露宴における携帯電話を利用する演出サービス。
【請求項２】
インターネットとインターネットに対応する携帯電話を利用することを特徴とする請求項１の結婚式披露宴における携帯電話演出ビジネスの方法。
【請求項３】
サーバーへアクセスするためＵＲＬ情報を含むＱＲコードと新郎新婦の写真が印刷されたカードを、披露宴やパーティーにて列席者に配布することを特徴とする請求項１の結婚式披露宴における携帯電話演出ビジネスの方法。
【請求項４】
請求項３記載のＱＲコードを携帯電話で読み取り、読み取ったＵＲＬを用いてサーバーにアクセスすると、新郎新婦専用のＷｅｂページが表示される請求項１の結婚式披露宴における携帯電話演出ビジネスの方法。
【請求項５】
あらかじめ撮影しておいた新郎新婦からのウェルカムメッセージをＷｅｂページ上に配置し、結婚式の会場へ到着する列席者に対し、動画で配信することを特徴とする請求項１の結婚式披露宴における携帯電話演出ビジネスの方法。
【請求項６】
カメラ付き携帯電話を始めとする動画撮影機能及び動画データ送信機能を有する携帯端末機を用い、列席者が撮影した動画データを請求項１のサーバーへメールを使って送付することで、サーバーを介して結婚式へ出席することのできなかった者を含む配信対象者に対して、結婚式と披露宴の様子に関するライブ情報を、リアルタイムで配信可能とする請求項１の結婚式披露宴における携帯電話演出ビジネスの方法。
【発明の詳細な説明】
【技術分野】
【０００１】  結婚式の披露宴における演出の一つとして行う、携帯電話を利用した演出。
【背景技術】
【０００２】  従来、結婚式披露宴においては、ウエディングケーキのナイフ入刀など定番のセレモニーが広く行われていた。
【発明の開示】
【発明が解決しようとする課題】
【０００３】  従来の結婚式の披露宴では、ウエディングケーキのナイフ入刀など定番のセレモニーが広く行われており、マンネリ化している面があった。本発明は新しい演出方法として、一般に普及した携帯電話を利用し、列席者が楽しめ、かつ新郎新婦と列席者が一緒になって作り上げる演出を提案するものである。
【課題を解決するための手段】
【０００４】  インターネットに通信可能なサーバー１と、予め制作した新郎新婦専用のＷｅｂページ２をサーバー１上に用意する。
サーバーへアクセスするためＵＲＬ情報を含むＱＲコード３と新郎新婦の写真４が印刷されたカード５を結婚披露宴の列席者に配布し、もしくは結婚披露宴に参加できない者に対しては予め配布し、ＱＲコード３を携帯電話６Ａで読み取り、読み取ったＵＲＬを用いて、インターネット７経由でサーバー１にアクセスすると、新郎新婦専用のＷｅｂページ２へアクセスできる。あらかじめ撮影しておいた新郎新婦からのウェルカムメッセージの動画をＷｅｂページ２上で配信する。結婚式披露宴や新郎新婦８の様子を、列席者が携帯電話６Ｂで撮影した動画データをメールを使って送付することで、リアルタイムで結婚式披露宴の様子を配信できる。
【発明の効果】
【０００５】  結婚式場にとって、携帯電話を用いた演出を加えることで、新たな収益源ができるとともに、携帯電話に日頃から慣れ親しんでいる若者に対して、他の式場との差別化としてアピールできる。
【発明を実施するための最良の形態】
【０００６】Ｗｅｂページ２へアクセスするためのカード５を、結婚式会場へ到着した列席者に配布し、結婚式場スタッフや受付を担当する者が列席者に対しＷｅｂページ２へアクセスし、結婚式リアルタイム配信方法について、ページに記載された内容を確認し、携帯電話６Ｂで結婚披露宴や新郎新婦８を撮影し、動画をＷｅｂページ２へ送付するよう促す。
新郎新婦が、控え室での様子や、入場前の緊張した様子を撮影し、ライブ情報に公開するという使い方をすると面白い。
【図面の簡単な説明】
【０００７】
【図１】  本発明の利用方法の説明図を示す。
【符号の説明】
【０００８】１  サーバー
３  ＱＲコード
６Ａ、６Ｂ  携帯電話
７  インターネット
８  新郎新婦
【図１】
2010015530.tif 000003
(57)【要約】【課題】  従来の技術によれば、複数文字が割り当てられた文字入力キーの最初に割り当てられた文字でない同じ文字を連続して入力する場合、その文字が割り当てられた文字入力キーを入力したい文字になるまで繰り返し押下し、入力しなければならなかった。【解決手段】  携帯電話機において、文字入力キーの一つとして、一つ前に入力した文字と同じ文字を連続して入力することを指示する機能キーを設けた。これによって、例えば「ごご」のように一つの文字入力キーに割り当てられた同じ文字を連続して入力する場合にキー押下回数を少なくすることができ、操作し易くなる。【選択図】図１
2010015529.tif 000002
【特許請求の範囲】
【請求項１】
同じ文字を連続して入力するための指示キーを設けたことを特徴とする携帯電話機。
【発明の詳細な説明】
【技術分野】
【０００１】  本発明は、携帯電話機の文字入力機能に関する。
【背景技術】
【０００２】  従来の携帯電話機の文字入力機能は、図１に示すように１から９、および＊、＃の各々のキーに複数の文字を割り当てたキーなどを操作することによって文字入力している。
【発明の開示】
【発明が解決しようとする課題】
【０００３】  以上のような従来の技術によれば、複数文字が割り当てられたキーの最初に割り当てられた文字でない同じ文字を連続して入力する場合、その文字が割り当てられたキーを入力したい文字になるまで繰り返し押下し、入力しなければならなかった。【０００４】  本発明では、一つ前に入力した文字と同じ文字を１回のキー操作で入力できるようにすることを目的とするものである。
【課題を解決するための手段】
【０００５】  本発明は上記目的を解決するために、文字入力キーとして、一つ前に入力した文字と同じ文字を連続して入力することを指示するキーを設けたものである。
【発明の効果】
【０００６】  上記のように本発明によれば、一つ前に入力した文字と同じ文字を連続して入力することを指示するキーを設けるため、例えば「ごご」のように一つのキーに割り当てられた同じ文字を連続して入力する時にキー押下回数を少なくすることができ、操作し易くなる。
【発明を実施するための最良の形態】
【０００７】  以下、本発明の実施の形態を図１〜図５に基づいて説明する。【０００８】  図１の１は一つ前に入力確定された文字と同じ文字の入力を指示するためのＦ１機能キー、２は表示部、３は上下左右のカーソル移動と、かな文字入力後に下方向に押下すると漢字に変換する指示と、中心を押下すると決定などの指示ができるプッシュキー、４は数字２と「かきくけこ」の文字が割り当てられた文字入力キー、５は濁点の処理を指示するキーである。【０００９】  図２は「午後」を入力する場合の従来の文字キーによる入力手順、図３は本発明の一つ前に入力した文字と同じ文字を連続して入力することを指示するＦ１機能キーを利用した場合の入力手順、図４は「大」を入力する場合の従来の文字キーによる入力手順、図５は本発明のＦ１機能キーを利用した場合の入力手順を示したものである。【００１０】  以下、上記構成の動作を説明する。【００１１】  まず従来の携帯電話機で「午後」の文字を入力する場合の手順を図２と共に説明すると次のようになる。
文字入力に当っての初期条件は、かな漢字変換モードになっているものとする。そこで文字入力キー４を押下すると表示部２に「か」が表示される。つづいて同じ文字入力キー４を連続して４回押下すると、表示部２には「か」に変わって「き」「く」「け」「こ」と表示される。「こ」が表示されたらそこで、濁点の処理を指示するキー５を押下して「ご」にする。つづいて文字入力キー４を連続して５回押下すると、表示部２の「ご」の隣に「か」「き」「く」「け」「こ」と表示されるので、そこで濁点の処理を指示するキー５を押下して「ご」にした後、プッシュキー３の下方向を押下する。このことによって、かな漢字変換が指示され表示部２に「午後」が表示されることになる。【００１２】  次に本発明の同一文字入力指示機能を設けた携帯電話機で、「午後」の文字を入力する場合の手順を図３と共に説明すると次のようになる。
文字入力に当っての初期条件は、かな漢字変換モードになっているものとする。まず文字入力キー４を連続して５回押下すると、表示部２には「か」「き」「く」「け」「こ」と表示される。そこで、濁点の処理を指示するキー５を押下して「ご」にする。つづいて一つ前の文字と同じ文字の入力を指示するためのＦ１機能キー１を押下すると、「ご」と同じ文字が入力され表示部２に「ごご」と表示される。つづいてプッシュキー３の下方向を押下することによって、かな漢字変換が指示され表示部２に「午後」が表示される。【００１３】  前述の説明と同様の操作によって「大」を入力する場合の従来の文字入力手順を図４に、また本発明のＦ１機能キー１を使って入力した場合の文字入力手順を図５に示す。【００１４】  このように、一つ前に入力確定された文字と同じ文字の入力を指示するための機能キーを設けることによって、キー入力数を少なくすることができる。【００１５】  以上、日本語文字入力の場合について説明してきたが、英文字でも、例えば「ｇｏｏｄ」とか「ｔｅｅｔｈ」のように連続した文字を入力する場合、前述と同様な手順で入力できる。
【図面の簡単な説明】
【００１６】
【図１】本発明の実施形態を示す携帯電話機の文字入力キー、機能キーなどの配列を示した図
【図２】従来の携帯電話機で「午後」を入力する場合の文字入力手順
【図３】本発明の携帯電話機による「午後」を入力する場合の文字入力手順
【図４】従来の携帯電話機で「大」を入力する場合の文字入力手順
【図５】本発明の携帯電話機による「大」を入力する場合の文字入力手順
【符号の説明】
【００１７】  １  一つ前に入力確定された文字と同じ文字の入力を指示するための機能キー
２  表示部
３  上下左右のカーソル移動と、かな文字入力後に下方向に押下すると漢字に変換する指示と、中心を押下すると決定などの指示ができるプッシュキー
４  数字２と「かきくけこ」の文字が割り当てられた文字入力キー
５  濁点の処理を指示するキー
【図１】
2010015529.tif 000003
【図２】
2010015529.tif 000004
【図３】
2010015529.tif 000005
【図４】
2010015529.tif 000006
【図５】
2010015529.tif 000007
(57)【要約】【課題】    商品や役務を対象として評価を入力させる、従来のランキングはあらゆる利用者の評価を集約する物のため、多数意見を示すに留まっている。そのため多くの場合、周知の結果が示され、ある特定の分類の人々には支持されるものの、全体的には支持されていなかったり認知されていなかったりする商品や役務を新たに知る媒体としては不十分である。【解決手段】  アンケートを用い、利用者に関する情報を多く入力させ、それら情報を用いた利用者の分類によって、利用者の分類内での評価を用いたランキングを表示させる。【選択図】なし【特許請求の範囲】
【請求項１】
利用者が役務（サービス）や商品を対象とした評価を入力し、利用者の評価を集約し、ランキングを表示するウェブシステムにおいて、利用者が対象の評価を入力途中または、入力後、利用者に対し新規に利用者の情報を入力するよう促す画面を表示し、そのアンケートにある特定の回答をした利用者の評価のみを限定して集約し、ランキングを表示するウェブシステム。
【請求項２】
利用者が役務や商品を対象とした評価を入力し、利用者の評価を集約し、ランキングを表示するウェブシステムにおいて、利用者が対象の評価を入力途中または、入力後、利用者に対し新規に利用者の情報を入力するよう促す画面を表示し、そのアンケートの回答により重み付けをし、それら利用者の評価に集約し、ランキングを表示するウェブシステム。
【請求項３】
上記、請求項１および請求項２のウェブシステムにおいて複数用意されたアンケートの質問を数件選択し、画面に表示して回答を促す機能を有するウェブシステム。
【発明の詳細な説明】
【発明の詳細な説明】
【技術分野】
【０００１】本発明は利用者の情報収集を行うアンケート機能を含んだ商品役務を対象としたランキングを表示するウェブシステムに関するものである。
【背景技術】
【０００２】  利用者が商品や役務を対象として評価を入力し、それらの評価を集約し、対象の順位付けを行い、ランキングを表示させるウェブシステムがある。
上記のウェブシステムにおいては、利用者のシステムへの登録を行う際、アンケートによって性別や年齢に関する情報を予め取得し、属性により利用者を分類し、特定の分類の利用者の評価のみを集約しランキングを表示させる事が行われている。
また利用者の性別や年齢などの属性や趣向に関するアンケートのみを行うウェブシステムもある。
【本発明が解決しようとする課題】
【０００３】  商品や役務を対象として評価を入力させる、従来のランキングはあらゆる利用者の評価を集約する物のため、多数意見を示すに留まっている。そのため多くの場合、周知の結果が示され、ある特定の分類の人々には支持されるものの、全体的には支持されていなかったり認知されていなかったりする商品や役務を新たに知る媒体としては不十分である。
また、性別や年齢など取得し、ランキングの集約に使用している場合、それらの属性に評価を入力する前にアンケートを実施している。また、性別や年齢と言った基本的な情報に限られており、発展的な内容を用いるまでには至っておらず、不十分であった。
【課題を解決するための手段】
【０００４】  アンケートを用い、利用者に関する情報を多く入力させ、それら情報を用いた利用者の分類によって、利用者の分類内での評価を用いたランキングを表示させる。
【発明を実施するための最良の形態】
【０００５】  利用者の情報をより多く取得し、様々な分類をするため、利用者にアンケートを実施する。アンケートは対象の評価を行う前段階としてではなく、あくまで対象の評価と、アンケートは同列かつ平行して行う。
【発明の効果】
【０００６】  上記の発明の実施により、ランキングの信頼性が高まる。また、全体としての認知度は低いものの、特定の分類に属す人には支持される優れた商品や役務を正当に評価する事が可能となる。それにより、新たな需要を開拓し、消費者と商品や役務の提供者との効果的なマッチングを可能にする。
(57)【要約】【課題】スペクトル表示のどの場所が何次の高調波を示しているかが容易にわかるスペクトル表示装置及びスペクトル表示方法を実現することを目的にする。【解決手段】本発明は、スペクトルデータを表示部にスペクトル表示するスペクトル表示装置に改良を加えたものである。本装置は、スペクトル表示のｎ（ｎ：自然数）次高調波の周波数の位置に次数を表示部に表示する次数表示手段を備えたことを特徴とする装置である。【選択図】図１
2010071862.tif 000002
【特許請求の範囲】
【請求項１】
スペクトルデータを表示部にスペクトル表示するスペクトル表示装置において、
前記スペクトル表示のｎ（ｎ：自然数）次高調波の周波数の位置に次数を前記表示部に表示する次数表示手段を備えたことを特徴とするスペクトル表示装置。
【請求項２】
次数表示手段は、ｎ次分の高調波の次数と周波数との関係を示す次数データにより、スペクトル表示の対応する周波数の位置に、次数を表示することを特徴とする請求項１記載のスペクトル表示装置。
【請求項３】
スペクトルデータを表示部にスペクトル表示するスペクトル表示方法において、
前記スペクトル表示のｎ（ｎ：自然数）次高調波の周波数の位置に次数を前記表示部に表示することを特徴とするスペクトル表示方法。
【発明の詳細な説明】
【技術分野】
【０００１】
本発明は、スペクトルデータを表示部にスペクトル表示するスペクトル表示装置及びスペクトル表示方法に関し、スペクトル表示のどの場所が何次の高調波を示しているかが容易にわかるスペクトル表示装置及びスペクトル表示方法に関するものである。
【背景技術】
【０００２】
スペクトル表示装置は、被測定信号がＡ／Ｄ変換器によりＡ／Ｄ変換され、高速フーリエ変換されたスペクトルデータを、表示部にスペクトル表示するものである（例えば、下記特許文献１参照）。
【０００３】
【特許文献１】特開２００８−１３９２２５号公報
【発明の開示】
【発明が解決しようとする課題】
【０００４】
被測定信号をローパスフィルタを介さずに、Ａ／Ｄ変換器でＡ／Ｄ変換され、データを取得し、高速フーリエ変換を行い、スペクトル表示を行うと、ｎ（ｎ：自然数）次高調波が順番に表示されない場合があり、図２に示されるように、波形を見ただけでは、どこが何次の高調波の位置かわからない。
【０００５】
また、ｎ次高調波が順番にスペクトル表示されていても、スペクトル表示の一部を拡大して表示した場合、どこが何次の高調波かがわからなくなってしまった。
【０００６】
そこで、本発明の目的は、スペクトル表示のどの場所が何次の高調波を示しているかが容易にわかるスペクトル表示装置及びスペクトル表示方法を実現することにある。
【課題を解決するための手段】
【０００７】
このような課題を達成するために、本発明のうち請求項１記載の発明は、
スペクトルデータを表示部にスペクトル表示するスペクトル表示装置において、
前記スペクトル表示のｎ（ｎ：自然数）次高調波の周波数の位置に次数を前記表示部に表示する次数表示手段を備えたことを特徴とするものである。
請求項２記載の発明は、請求項１記載の発明であって、
次数表示手段は、ｎ次分の高調波の次数と周波数との関係を示す次数データにより、スペクトル表示の対応する周波数の位置に、次数を表示することを特徴とするものである。
請求項３記載の発明は、
スペクトルデータを表示部にスペクトル表示するスペクトル表示方法において、
前記スペクトル表示のｎ（ｎ：自然数）次高調波の周波数の位置に次数を前記表示部に表示することを特徴とするものである。
【発明の効果】
【０００８】
本発明によれば以下のような効果がある。
請求項１，２によれば、次数表示手段が、スペクトル表示のｎ次高調波の周波数の位置に次数を表示部に表示するので、スペクトル表示のどの場所が何次の高調波を示しているかが容易にわかる。
【０００９】
また、請求項３によれば、スペクトル表示のｎ次高調波の周波数の位置に次数を表示部に表示するので、スペクトル表示のどの場所が何次の高調波を示しているかが容易にわかる。
【発明を実施するための最良の形態】
【００１０】
以下本発明を、図面を用いて詳細に説明する。図１は本発明の一実施例を示した構成図である。
【００１１】
図１において、次数データ１は、ｎ次分、ここでは、４次分の高調波の次数と周波数との関係を示す。表示部２は、例えば、液晶ディスプレイ等である。表示処理部３は、図示しない記憶部に格納されたスペクトルデータ、次数データ１を入力し、表示部２に表示する。そして、表示処理部３は、スペクトル表示手段３１、次数表示手段３２を有する。スペクトル表示手段３１は、スペクトルデータを表示部２に横軸を周波数、縦軸を振幅（ゲイン）としてスペクトル表示する。次数表示手段３２は、次数データ１により、スペクトル表示の対応する周波数の位置に、矢印と共に次数を表示部２に表示する。
【００１２】
このような装置の動作を以下に説明する。スペクトラムデータは、被測定信号がＡ／Ｄ変換器によりＡ／Ｄ変換され、高速フーリエ変換され作成される。また、次数データ１は、１次高調波（基本波）の周波数、次数の数、Ａ／Ｄ変換器のサンプリング周波数、サンプリングデータ数で求められる。ここで、スペクトルデータ、次数データ１の詳細な求め方は、本発明の主要部ではなく、一般的なものなので、省略し、事前にわかっているものとする。
【００１３】
スペクトル表示手段３１が、図示しない記憶部からスペクトルデータを入力し、周波数に対する信号の振幅値を表示部２にスペクトルとして波形表示する。そして、次数表示手段３２が、図示しない記憶部から次数データ１を入力し、スペクトル波形に対応する周波数の位置に、例えば、１．６５ｋＨｚの位置で、スペクトル波形より高い位置に、矢印と共に次数”１”を表示部２に表示する。
【００１４】
このように、次数表示手段３２が、スペクトル表示のｎ次高調波の周波数の位置に次数を表示部２に表示するので、スペクトル表示のどの場所が何次の高調波を示しているかが容易にわかる。
【００１５】
なお、本発明はこれに限定されるものではなく、次数表示手段３２が矢印を表示する構成を示したが、矢印を表示せずに、次数のみを表示する構成でもよい。また、次数表示手段３２は、同じ周波数の位置に異なる次数が重なった場合、矢印を太くし、重なりを表示する構成でもよい。また、次数表示手段３２は、同じ周波数の位置に異なる次数が重なり、次数の数字が重なった場合、重なった数字の小さい方を表示する構成でもよい。また、次数表示手段３２が、矢印と次数の表示位置をスペクトル波形に伴って変更する構成を示したが、一定の位置、例えば、０．００［ｄＢｍ］より下の位置や８．００［ｄＢｍ］より高い位置で表示する構成にしてもよい。
【００１６】
また、スペクトル表示手段３１は、スペクトル表示を波形表示したが、特許文献１に示されるように、線スペクトルにしてもよい。
【図面の簡単な説明】
【００１７】
【図１】本発明の一実施例を示した構成図である。
【図２】従来のスペクトル表示を示した図である。
【符号の説明】
【００１８】
１  次数データ
２  表示部
３  表示処理部
３１  スペクトラム表示手段
３２  次数表示手段
【図１】
2010071862.tif 000003
【図２】
2010071862.tif 000004
(57)【要約】      （修正有）【課題】大きな風力発電量を得る。【解決手段】油圧コントロールユニットより油圧を送り、油圧シリンダー４０で第１プロペラ２７，３２を１１０度まで動かし、次に第２プロペラ３０，３１を油圧シリンダー４１より１１０度まで動かします。風がふくと１セット（１２枚）のプロペラは左回転に、もう１セット（１２枚）のプロペラは右回転にまわり発電機７９より電気を起こします。風が風速１３ｍ／ｓ以上になると第２プロペラ用油圧メッキロッド４４が伸びて第２プロペラ１セット（１２枚）が水平状態まで折りたたみます。次に第１プロペラ用油圧メッキロッド４５が伸びて第１プロペラ１セット（１２枚）が水平状態まで折りたたみます。その後プロペラ受けリング用メッキロッド３が縮んでプロペラを開かないようにロックします。風力発電機全体の保護になります。【選択図】図３
2010071277.tif 000002
【特許請求の範囲】
【請求項１】
１セット（１２枚）のプロペラは左方向に、又もう１セット（１２枚）のプロペラは右方向に回転になるようにプロペラが２連になることにより強力な風力発電機です。又台風時にも２連のプロペラを折りたたみプロペラを開かないようにロックします。
【発明の詳細な説明】
【作用】
図面の左方向より風がふくと油圧コントロールユニットより第１プロペラスライド回転台可動油圧シリンダー▲４０▼に油圧をおくり、油圧シリンダーのメッキロッド▲４５▼が縮むと第１プロペラスライド回転台（ベアリング）▲３４▼が左方向に動きＬ型金具▲２９▼▲３３▼により、プロペラ受け台▲２６▼▲５２▼へと動き、プロペラ▲２７▼▲３２▼が１１０度まで動き図３の左方向より風を受けると、発電機▲３９▼側より見て、プロペラ▲２７▼▲３２▼は、左回転にまわると、プロペラ▲３０▼▲３１▼は右方向にまわります。第２プロペラスライド回転台可動油圧シリンダーに油圧をおくり、第２プロペラスライド回転台可動メッキロッドが縮むと、第２プロペラスライド回転台（ベアリング）が左方向に動きＬ型金具▲１４▼▲１５▼よりプロペラ取付台▲１１▼▲１２▼へと動きプロペラ▲３０▼▲３１▼が１１０度まで動き風がふくと、プロペラがまわり発電機もまわります。風が風速１３ｍ／ｓ以上になると図２のように第２プロペラスライド回転台可動油圧シリンダー▲４１▼に油圧をおくり、第２プロペラスライド回転台可動メッキロッドが伸びると、第２プロペラスライド回転台（ベアリング）▲２０▼が右方向に動きＬ型金具▲１４▼▲１５▼により、プロペラ受け台▲１１▼▲１２▼へと動きプロペラ▲３０▼▲３１▼が水平状態まで折りたたみます。次に第１プロペラスライド回転台可動油圧シリンダー▲４０▼に油圧をおくり、第１プロペラスライド回転台可動メッキロッドが伸びて、第１プロペラスライド回転台（ベアリング）が右方向に動きます。Ｌ型金具▲２９▼▲３３▼によりプロペラ受け台▲２６▼▲５２▼へと動きプロペラ▲２７▼▲３２▼が水平状態まで折りたたみます。次に左右可動式プロペラ受けリング可動油圧シリンダー▲４▼に油圧をおくり、左右可動式プロペラ受けリング可動メッキロッド▲３▼が縮むと左右可動式プロペラ受けリングがプロペラを開かないようにロックします。
【図面の簡単な説明】
【図１】側面図  左右可動式プロペラ受けリングが右方向に動きプロペラが１１０度まで開きプロペラが風を受ける状態
【図２】側面図  風速１３ｍ／ｓになるとプロペラを油圧シリンダーにより２セット共に折りたたみ格納した状態。
【図３】側面図  各部の符号図
【図４】正面図  各部の符号図
【図５】側面図  各部油圧シリンダーの配管図
【符号の説明】
▲１▼左右可動式プロペラ受けリング▲２▼左右可動式プロペラ受けリング取付金具▲３▼左右可動式プロペラ受けリング可動メッキロッド▲４▼左右可動式プロペラ受けリング可動油圧シリンダー▲５▼アウターケース▲６▼インナーケース▲７▼油圧シリンダー固定ピン▲８▼インナーシャフト固定ボルト▲９▼第２プロペラプレート▲１０▼第２プロペラプレート▲１１▼プロペラ取付台▲１２▼プロペラ取付台▲１３▼シャフト▲１４▼Ｌ型金具▲１５▼Ｌ型金具▲１６▼シャフト▲１７▼アウターシャフト▲１８▼シャフト▲１９▼シャフト▲２０▼第２プロペラスライド回転台（ベアリング）▲２１▼第２プロペラスライド回転台可動シャフト▲２２▼ベアリングケース▲２３▼第１プロペラプレート▲２４▼プロペラ取付台受金具▲２５▼シャフト▲２６▼プロペラ受け台▲２７▼プロペラ▲２８▼シャフト▲２９▼Ｌ型金具▲３０▼プロペラ▲３１▼プロペラ▲３２▼プロペラ▲３３▼Ｌ型金具▲３４▼第１プロペラスライド回転台（ベアリング）▲３５▼シャフト▲３６▼シャフト▲３７▼リングギヤ▲３８▼ピニオンギア▲３９▼発電機▲４０▼第１プロペラスライド回転台可動油圧シリンダー（１本）▲４１▼第２プロペラスライド回転台可動油圧シリンダー（２本）▲４２▼油圧シリンダー固定ピン▲４３▼油圧シリンダー固定ピン▲４４▼第２プロペラスライド回転台可動メッキロッド（２本）▲４５▼第１プロペラスライド回転台可動メッキロッド▲４６▼支柱▲４７▼インナーシャフトベアリング▲４８▼インナーシャフトベアリング▲４９▼インナーシャフト▲５０▼シャフト▲５１▼シャフト▲５２▼プロペラ取付台▲５３▼プロペラ取付台受金具▲５４▼油圧コントロールユニット▲５５▼第２プロペラ▲５６▼第１プロペラ▲５７▼第２プロペラ▲５８▼第１プロペラ▲５９▼第２プロペラ▲６０▼第１プロペラ▲６１▼第２プロペラ▲６２▼第１プロペラ▲６３▼第２プロペラ▲６４▼第１プロペラ▲６５▼第２プロペラ▲６６▼第１プロペラ▲６７▼第２プロペラ▲６８▼第１プロペラ▲６９▼第２プロペラ▲７０▼第１プロペラ▲７１▼第２プロペラ▲７２▼第１プロペラ▲７３▼第２プロペラ▲７４▼第１プロペラ▲７５▼第２プロペラ▲７６▼第１プロペラ▲７７▼第２プロペラ▲７８▼第１プロペラ▲７９▼発電機
【図１】
2010071277.tif 000003
【図２】
2010071277.tif 000004
【図３】
2010071277.tif 000005
【図４】
2010071277.tif 000006
【図５】
2010071277.tif 000007
(57)【要約】      （修正有）【課題】高価になった自動車の燃料費を不購入する事で自家用車や営業車を問わず燃料費を気にせず走行する事が容易になり経済の活性化になる事を課題とした。【解決手段】圧縮空気シリンダ−か油圧シリンダ−でピストンを押し下げクランクシャフトを回転させエンジン力で走行しアクセル式無断変速機で速度調整するまた空気シリンダ−か油圧シリンダ−で直接フライホイル−を回転させればエンジンは不用になるため空気油圧式燃料自動車として解決した。【選択図】図１
2010071276.tif 000002
【特許請求の範囲】
【請求項１】
セルモ−タ−でクランクシャフトを回し直流モ−タ−で圧縮して作った空気シリンダ−か油圧シリンダ−でピストン上部を押し下げクランクシャフトを回転させエンジンを動力源としアクセル式無段変速機で速度調整をする事を特徴とする空気油圧式燃料自動車
【請求項２】
直流モ−タ−で圧縮空気を作り空気シリンダ−か、また油圧ポンプで加圧した油圧シリンダ−でフライホイ−ルを直接回転させる事を特徴とするエンジン不用の空気油圧式燃料自動車
【発明の詳細な説明】
【技術分野】
【０００１】本発明は燃料は全く使わず直流モ−タ−で圧縮空気で空気シリンダ−か油圧加圧ポンプにて油圧シリンダ−でピストンを押し下げクランクシャフトを回転させエンジンを動力源とする様工夫した
またフライホイ−ルに空圧シリンダ−・油圧シリンダ−・ギヤ−等で直接回転させればエンジンは不用になる
速度調整はアクセル式無段変速機でクランクシャフトの回転速度調整をする
【背景技術】
【０００２】従来の自動車はシリンダ−内で燃料供給・圧縮・気化・爆発させてその反動力でピストンを押し下げクランクシャフトを回転させエンジンを動力源としているが
本発明は燃料は全く使わず圧縮空気シリンダ−や加圧油圧シリンダ−で自動車を走行させる工夫をし燃料費高騰に対処する事を目的とした
【特許文献１】
【非特許文献１】
【発明の開示】
【発明が解決しようとする課題】
【０００３】自動車が排出している二酸化炭素等の排気ガスを少なくする為には自動車の燃料消費を少なくする事が必要である
この空気油圧式燃料自動車は圧縮空気や油圧を燃料として走行する事で排気ガス類は出さず自然環境に寄与する事を課題とした
【課題を解決するための手段】
【０００４】圧縮空気シリンダ−か油圧シリンダ−を使ってピストンを押し下げクランクシャフトを回転させエンジン力を利用することで自動車に必要な燃費が不用になる事を課題とした
【発明の効果】
【０００５】この発明の特徴は圧縮空気シリンダ−か油圧シリンダ−を工夫して自動車を走行するので燃料費は不要になり経済の活性化に多いに役立つ効果がある
【発明を実地するための最良の形態】
【０００６】エンジン部内の空気シリンダ−か油圧シリンダ−の設置は縦・横・シ−ソ−式（テコ式）があり圧縮機等の機器類はトランク内や荷台下に格納できるため自動車の形態には大きな変更は不要になる
【産業上の利用可能性】
【０００７】本発明に係る空気油圧式燃料自動車は工業的に量産する事が可能であるため産業上の利用可能性を有する。
【図面の簡単な説明】
【０００８】
【図１】空気シリンダ−か油圧シリンダ−押さえ部の断面図
【図２】空気シリンダ−か油圧シリンダ−回転部の平面図・側面図
【符号の説明】
【０００９】〔図１〕  １  空気油圧シリンダ−
２  ピストン
３  クランクシャフト
４  セルモ−タ−
５  発電機用Ｖベルト
６  フライホイ−ル
７  クラッチ
〔図２〕  １  空気油圧シリンダ−
３  シャフト
４  セルモ−タ−
５  発電機用Ｖベルト
６  フライホイ−ル
７  クラッチ
【図１】
2010071276.tif 000003
【図２】
2010071276.tif 000004
(57)【要約】【課題】  流体機械の羽根は軸方向に流体を移動させる機構が無い。  其の事が遠心力を発生させ、キャビテーション等の欠陥を放置している。此の点を分析し、流体の流れ、体積変化密度変化を分析した結果、羽根に軸同心溝、エッジを設け、流域を明確化し、羽根の最外周部にトンネル状の流量安定板を組み込んで全形楔形処理し、抵抗を小さくくする羽根を装備する事が課題である。【解決手段】  従来の加工方法を生かした改善対策と、羽根全体を新規板物部品組立にする場合と、何れの場合でも対応できる。何れにしても、最終的にはキャビテーション対策であり、羽根に軸方向の流れを起す機構を設ける事が解決手段である。【選択図】図２
2010071272.tif 000002
【特許請求の範囲】
【請求項１】
流体機械の羽根、プロペラ、ブレード、インペラーの曲面と、流体との相関関係を分析追求し、羽根に軸同心円弧状の溝、及びエッジ、最外周部に軽量、靭性に富む、トンネル状の流量安定板を設け、全形楔形処理をし、流体が軸軸心部で流れが交差しない並行流、最外周部で、周囲からの伴走流を得られる様に改良した、軸流機械。
【発明の詳細な説明】
【技術分野】
【０００１】  現在の羽根、プロペラ、ブレード、インペラーは全て自由曲面だけでなりたっている為、軸方向へ流体に圧力を掛ける機構が欠落している。目標とする回転力、圧縮力は、軸の回転に依る羽根のピッチ分の軸方向分力を伝達するものであり、回転力其の物を取り出す機構が無い。軸方向へ力を伝達する機構を設けるには、羽根に伝達機構を設ける事が最良な方法である。【０００２】  羽根を改善する方法として、圧縮方向、回転を得る方向、にどの様な改善が良いのか，裏付けと成る理論、研究、が無いので、船舶のプロペラは１８００年以来形状が変わっていない。或はタービン  ブレードが６０年余り同じ形状の儘今日に至っている。然し、現状の羽根は攪拌機械に使用されている羽根の形状と基本的に同様な形状であり、羽根を改善する理論の欠落は羽根の欠陥改善不能の原因でもある。【０００３】  圧縮力を与える機械、或は回転力を得る機械の羽根が攪拌機の機械の羽根と基本的に大差が無い事は技術的に大きな問題である。流体の動き機械の動き双方の関連を追求する分析をしなければならない。【０００４】  羽根の回転に従って流体も旋回運動をする。当然軸方向の移動も有る。其の旋回方向と軸方向の流れの中間で旋回したり、軸方向へ移動したりする不安定部分も有る。
機械の回転‥‥‥‥（１）羽の回転に依る旋回運動をする部分。
（２）軸方向に移動をする部分。
（３）旋回、軸方向、双方に動く不安定部分。
流体は（１）、（２）、（３）の３通りの運動をする。（１）の運動は、羽根との    摩擦抵抗と羽根のピッチ分の圧力に拠る流体の移動、其の結果の流体の運動である。
（３）の部分は（１）に移動する時、体積積変化をする。其の変化する速度に依り密度の変化を起す状態になると、密度変化は減圧状態に変化して行く。
密度の変化は流体の定圧時の体積が示す力を出す事が出来ない。減圧の傾向を示す。
此の変化する速度で軸方向へ移動する速度の差に依り、速度の早い方へ流体が移動し（１）の方向へ移動する。（３）は更に減圧傾向から負圧傾向を帯びる。
（３）が確実に（１）に従い、同時に（２）も（１）へ移動する位置がある。遠心力が一番強い位置。羽根の先端部分。此処では完全に負圧の状態になる。軸方向の力は存在しない。
負圧状態に過流の発生を伴い、其の過流部分に周囲から伴走流が逆流となって流れ込む為、出力損となる。従って、遠心力の発生と（３）を分析、遠心力の問題が負圧問題で分析の対象になる。
羽根先端部に周囲の流体が逆流となり流入する現象は、明らかに出力損となるが、キャビテーション等の原因でもある。此の点の分析が欠落している。
【背景技術】
【０００５】  業界誌，或は各メーカーのカタログ、会社案内等羽根に関して改善する動きは無い様で製品には変化が起きない様である。
船舶のプロペラト同じ様な形をした製品は同じ様にエネルギー損失を伴う。
Ａ、改善方法（１）軸同心の溝、エッジを設け、羽根の流域を明確にする。
軸中心部分は流域から除外する為のエッジを設ける。平行な流れをつ                  くり、軸心部で流れが交差しない事。
（２）羽根先端部に軸同心円弧流量安定板を設け、外周部で伴走流を伴う様                  に、安定板は軽量、靭性、抵抗を考慮したトンネル状に設置する。
（３）全形楔形処理。
Ｂ、工法内容（１）鋳物加工の場合。
従来のフライス加工工程で、出来るだけ溝を利用する。図１に示す。                  軸流機械全てに共通である。
（２）羽根、溝、を板物部品で組立工法とする場合。図２に示す。
2010071272.tif 000003
【０００６】  改善した羽根の共通項目。
（１）羽根の捻り強度が高くなる。
（２）羽根先端部の巾を広くする事ができる。
（３）軸心部分の流域を羽根の流域外に除外できる。
（４）過流の逆流は無い。軸に平行な流入を伴い軸並行の流                                れを伴う。
（５）上記（２）の工法は手仕上げ工数大幅削減となる。
【発明の開示】
【発明が解決しようとする課題】
【０００７】  流体機械の欠陥、キャビテーション等の原因は羽根にある。羽根の形状を改善すれば、流体を軸方向に流す機構になる。又、其の機構に依り羽根の平行流域、外周部の伴走流入が遠心力に依るキャビテーション等の発生を防ぐという課題。【０００８】
2010071272.tif 000004
最外周部安定板流入量目標値＝∫Ｙ（最外周長さ×トンネル高さＹ×トンネル巾）
遠心力概算参考トルク計算
機械回転力；Ｆ、遠心力；Ｆ１  圧縮力；Ｆ２、羽根の半径；Ｒ，
半径方向の位置；ｒ、ｒの位置の羽根巾；ｄ、Ｒの位置の羽根巾；Ｄ
Ｆ１＝Ｆ×Ｒ＞Ｆ２＝Ｆ×Ｄ‥‥‥（圧縮力、回転力、無い状態）
Ｆ１＝Ｆ×ｒ＜Ｆ２＝Ｆ×ｄ‥‥‥（遠心力の流れ混在の状態）
解決する事は遠心力流れ混在状態を無くす事。
【課題を解決するための手段】
【０００９】  鋳物加工で対策する場合、板物で部品組立工法の場合双方とも対応可能。又、羽根を小型化する事ができる
【発明の効果】
【００１０】  羽根の最外周部の出力が効果を齎す事が出来る。
出力効果、エネルギー効果、騒音効果、製品寿命効果が高まる。
板物部品組立工法の場合は、手仕上げ工数を大幅削減する。
【実施例】
【００１１】  ローソクに拠る火の消火エスト。  比較テスト。
煙りテスト…外周部の過流の流れ、比較テスト。
（換気扇を改造、テスト品とした。）
【図面の簡単な説明】
【００１２】
【図１】‥‥‥‥鋳物加工品対策図。及び断面形状。
【図２】‥‥‥‥板物部品組み立て工法図。及び断面形状。
【符号の説明】
【００１３】  １  ・・・・・羽根、プロペラ、ブレード、インペラ。
２  ・・・・・溝。
３  ・・・・・エッジ、又は流域導入板。
４  ・・・・・最外周部安定板。
５  ・・・・・楔形処理部分。
６  ・・・・・軸、又は、軸心部分。
Ａ−Ａ・・・・Ａ−Ａ断面。
Ｂ−Ｂ‥‥‥‥Ｂ−Ｂ断面。
【図１】
2010071272.tif 000005
【図２】
2010071272.tif 000006
(57)【要約】【課題】  従来の風向制御羽根では風向を水平方向に近づけるにつれ、風向制御羽根に結露しやすくなる問題があった。【解決手段】  比較的Ｒが大きく化粧カバーの外形Ｒに合わせた曲線断面形状とした風向制御羽根１、そして比較的Ｒの小さい曲線断面形状とした風向制御羽根２を風向制御羽根１の風上側に配置し、水平に気流を送る際は風向制御羽根２が風向制御羽根１までの気流の案内の役割をし、風向制御羽根１の風下側表面にも気流を流すことにより、気流を円滑にかつ、結露を抑えて運転することを可能とした。また、２枚の羽根角度を個別に制御することにより、風路を絞って気流到達距離を伸ばすこと、運転停止時に羽根が閉じた際は２枚が連続した曲線を形成し、大きな開口がなく外観をよくすることを可能とした。【選択図】図１
2010071499.tif 000002
【特許請求の範囲】
【請求項１】
室内天井の内部に埋め込まれた室内機に熱交換器，送風機，露受け皿，風向制御羽根，風向制御羽根を有する天井埋め込み形の空気調和機において、水平に近い方向に送風する際に、風向制御羽根を水平近くまで向けて、風向制御羽根は風向制御羽根よりも若干下に向けて風の案内をさせ、結露なく円滑に気流Ａを水平方向に導くことを特徴とした空気調和機。
【請求項２】
垂直に近い方向に送風する際に、風向制御羽根を垂直近くまで向けて、風向制御羽根も垂直に近い方向に向けて、気流Ａを垂直に導くことを特徴とする請求項１の空気調和機。
【請求項３】
風向制御羽根と風向制御羽根をそれぞれの風下側先端同士が風上側端部同士に対して近くなる方向に角度を向けて風路を絞ることにより風速を速くし、気流Ａの到達距離を伸ばすことを特徴とした請求項１の空気調和機。
【請求項４】
運転停止時に風向制御羽根と風向制御羽根が閉じた状態になった際に、２枚の羽根が連続した曲線を形成することを特徴とした空気調和機。
【発明の詳細な説明】
【技術分野】
【０００１】
本発明は、天井埋め込み形空気調和機の風向制御羽根の構造に関し、２枚の風向制御羽根により、羽根表面への結露を防止しながら円滑に水平方向に気流を送ることが可能で、また、各々の羽根角度を制御し風路断面積を絞ることにより気流の到達距離を伸ばすことを可能とした気流の制御構造に関するものである。
【背景技術】
【０００２】
一般的な空気調和機における気流制御としては一枚の風向制御羽根１で水平に近い方向から垂直に近い方向まで駆動させて、気流を制御するもの、二枚羽根で、それぞれが気流を下に向ける羽根，上に向ける羽根として機能し、水平に近い方向から垂直に近い方向まで駆動させて、気流を制御するものなどがある。
【０００３】
また、特許文献１に記載のように一枚の可動羽根と固定の補助羽根を持ち、補助羽根で貫流ファンからきた風を可動羽根両面へ導くことにより、結露なく円滑に気流Ａを水平方向に送ることが可能なものもあった。
【０００４】
【特許文献１】特開平１０−１９７０４５号公報
【発明の開示】
【発明が解決しようとする課題】
【０００５】
従来の技術において、一枚羽根のものにおいても、二枚羽根においても、水平に近い方向に気流を送る場合、羽根の風上側が吐出空気により冷やされ、熱伝導により風下側の表面まで冷やされた状態となる一方、風下側表面に空気の流動がないため、常温の空気が羽根表面の風下側に触れて結露が起き易くなる問題があった。
【０００６】
また、特許文献１の固定補助羽根により風を案内させるものについては、可動羽根が１枚しかないため風路断面積を狭くして気流の到達距離を伸ばすことができなかった。また、運転停止して羽根が閉じた際には開口部分が大きく外観が悪いという問題があった。
【課題を解決するための手段】
【０００７】
上記目的を達成するために、本発明では、図１のように比較的Ｒが大きく化粧カバーの外形Ｒに合わせた曲線断面形状とした風向制御羽根１、そして比較的Ｒの小さい曲線断面形状とした風向制御羽根２を風向制御羽根１の風上側に配置し、水平に気流を送る際は風向制御羽根２が風向制御羽根１までの気流の案内の役割をし、風向制御羽根１の風下側表面にも気流を流すことにより、気流を円滑にかつ、結露を抑えて運転することを可能とした。また、２枚の羽根を可動にすることで、気流到達距離を伸ばすこと、羽根が閉じた際は大きな開口がなく外観をよくすることを可能とした。
【発明の効果】
【０００８】
本発明によれば、風向制御羽根に結露させることなく、気流を水平方向，垂直方向に円滑に制御し、必要に応じて羽根角度を個別に変えることにより風路断面積を絞って気流の到達距離を伸ばすことができ、羽根が閉じた際は大きな開口がなく外観のよい空気調和機を提供することができる。
【発明を実施するための最良の形態】
【０００９】
以下、本発明を具体化した実施例について説明する。
【実施例１】
【００１０】
図１において水平に近い方向に気流を送る場合について説明する。水平に近い方向に気流を送る時は風向制御羽根１を水平近くまで向けて、風向制御羽根２は風向制御羽根１に対して若干下に向けて配置する。貫流ファンから送られてきた風Ａは風向制御羽根２の曲面に案内されて、風向制御羽根１の風下側表面および風上側表面に導かれる。また、直接的に風向制御羽根１の風上側表面にも風が通り、風Ａは吐出口から水平に近い方向へ流れていく。その際に風向制御羽根１および風向制御羽根２の両面に沿って風が流れるため羽根表面への結露は発生しない。
【００１１】
図２において垂直に近い方向に気流を送る場合について説明する。垂直に近い方向に気流を送るときは風向制御羽根１および風向制御羽根２を垂直に近い角度まで向ける。貫流ファンから送られてきた風Ａは各風向制御羽根に沿って下向きに導かれる。
【００１２】
図３において上記機構を使って気流の到達距離を伸ばす方法について説明する。
【００１３】
風向制御羽根１と風向制御羽根２をそれぞれの風下側先端同士が風上側端部同士に対して狭くなる方向に角度を向けることにより風路断面積を絞ることにより風速を上げ気流の到達距離を伸ばす。この動作の際、風速は増加する反面、各風速制御羽根の風下側表面への気流が少なくなるため結露が起き易い傾向となるが、運転開始後数時間程度に限定した急冷運転等に非常に有効である。また使用者のリモコン操作により、一定期間任意に動作させるというような使い方も可能である。
【００１４】
上記図１，図２，図３の動作は気流の制御としては暖房運転時においても有効である。
【００１５】
運転停止時に各風速制御羽根は化粧カバー外形に合わさる格好に閉じる動作となるが、その際は図４のように２枚の羽根が連続した円弧の面を形成し、大きな開口がなく、外観上一体に見える格好となる。
【図面の簡単な説明】
【００１６】
【図１】水平に近い方向に気流を送る状態の断面図。
【図２】垂直に近い方向に気流を送る状態の断面図。
【図３】風路を絞って到達距離を伸ばす際の断面図。
【図４】運転停止して２枚の羽根が閉じた際の断面図。
【図５】従来技術における空気調和機の構造図。
【符号の説明】
【００１７】
１，２  風向制御羽根
３  化粧カバー
４  気流
５  天井面
【図１】
2010071499.tif 000003
【図２】
2010071499.tif 000004
【図３】
2010071499.tif 000005
【図４】
2010071499.tif 000006
【図５】
2010071499.tif 000007
(57)【要約】      （修正有）【課題】試薬を含んだろ紙全体を薄いフイルムでラミネートし覆って保存性をよくしたフイルムカバー試験紙であり、使用時に試験紙を細く切って、切り口から試料液を染み込ませ色の変化を見るものである。これにより試験紙の酸化や湿気の劣化はわずか０．１ｍｍ幅ぐらいの切り口面だけですむ。また、検査結果は表面を拭き取るだけで保存しやすくサンプルとして扱いやすい。【解決手段】ろ紙にしみこませた試薬（１）と試薬名ラベル（３）や色見本（４）をフイルム（２）でラミネートしたものである。点線は使用時にはさみを入れる方向である。試験紙（１）の切り口から試料液を染み込ませ、試験紙の色を変化させ色見（４）と比較する。【選択図】図１
2010071965.tif 000002
【特許請求の範囲】
【請求項１】
試薬をろ紙（１）などにしみこませ、試薬名ラベル（３）と色見本（４）とともに全体をフイルム（２）でラミネートし密封したフイルムカバー試験紙
【請求項２】
試験紙（１）の切り口から試料液を染み込ませ、試験紙の色を変化させ色見（４）と比較するフイルムカバー試験紙
【発明の詳細な説明】
【技術分野】
【０００１】この発明は試験紙の保存性と使用方法に関するものである。
【背景技術】
【０００２】  従来の試験紙はろ紙等に試薬を染み込ませるか、小さなプラスチック板の先端に試薬を染み込ませたろ紙等を貼り付けたものである。色見本は瓶などの容器に貼り付けてある。
表面がむき出しで開封後は酸化や湿気や光で劣化しやすい。残りは空気に触れ劣化しやすいため瓶などに入れ保存する。
試料液に漬け色の変化を見た後もむき出しで、濡れて始末に悪い。また検査結果が必要なとき、むき出しで空気に触れるためあまり長く保存できない。
【発明が解決しようとする課題】
【０００３】  個々の試験紙を酸化や湿気で劣化しにくいように、表面を空気に触れないもので覆う必要がある。表面を覆うと試料液が染み込まず検査が不能になる。
そこで、試料液を染み込ませ、出来るだけ空気に触れず、しかも清潔に使用するようにする。測定結果後もある程度きれいに保存がきくようにする。
試験紙の下記の欠点
（イ）試験紙は製造後劣化を防ぐため、容器を瓶やフイルムで密封してある。開封後は        瓶詰めなどにして、酸化や湿気など劣化を防がねばならない。
（ロ）試験紙を試料液に漬けた結果は濡れむき出しで、そのままでは不衛生である。
（ハ）試験紙の結果は濡れていて、そのままでは長期保存性があまりよくない。
試験紙の表面からの蒸発や、酸化で変色が防げない。
（ニ）試薬名ラベルや色見本は別に瓶などにはりつけて置かねばならない。
本案は、これらの欠点を除くために考えださたものである。
（イ）試験紙は表面をフイルムでラミネートすることで空気と触れず劣化しにくくする        。検査時は切り口の隙間から試料液をにじみこませる。
残りの試験紙は切り口のみ酸化、湿気などで劣化するが、数ミリ切り落とせば新        鮮な試験紙として使用できる。
（ロ）試料液は試験紙の両側面の切り口の隙間から染み込むだけで、試験紙の表面、裏        面はフイルムゆえ余分に付いた試料液を拭き取ることが出来る。
（ハ）切って使用するので試料液が染み込む切り口のみ濡れるが、表面や裏面は拭き取        ることができ、サンプル保存しやすい。
（ニ）試薬名ラベルや色見本はラミネートしたフイルムの上部にありフイルムで覆われ        ていて汚れず、色見本と比較しやすい。
【課題を解決するための手段】
【０００４】  本案は試験紙の表面をフイルムでラミネートとすることで酸化や湿気からの劣化を防ぐようにする。
試料液がラミネートした試験紙の、両サイドのわずか０．１ｍｍ幅ぐらいの切り口から染み込みませる。両サイドからのしみこみのみで表面や裏面は濡れず、拭き取ることできる。試験紙の検査後は清潔で他を汚さないようになる。
試薬品名ラベルや色見本とともにフイルムで覆われているので汚れず、酸化や変色がすくなく検査後のサンプル見本として使いやい。
【発明の効果】
【実施例】
【０００５】  フイルムカバー試験紙を（１）を数ミリ幅で縦に切り取り試料液にしたす。試料液は切り口から染み込み、フイルムカバー試験紙の色を変化させる。検査したものの表面を拭き取り上部にある色見本と比べる。
【発明を実施するための最良の形態】  本案の大きさは１００ｍｍ×６０ｍｍ×０．３ｍｍ、１．５ｇで制作したが大きさ、質量にはこだわらない。
本案の試薬はリトマス、ＢＴＢ、フェノールフタレイン、塩化コバルトで試作したが試薬はフイルムと反応しない限りこだわらない。
【産業上の利用可能性】
【０００６】  （イ）本案のフイルム表面は平面なので金属系の不透明のシールを貼ることで表面から        光の劣化を防ぐ。
（ロ）本案は厚さ０．１ｍｍぐらいの平面なので何枚重ねてもかさばらず場所をとらな        い。
（ハ）本案をはさみで切る幅を小さくすればより多数試験紙ができる。
（ニ）本案は１００ｍｍ×６０ｍｍ×０．３ｍｍ、１．５ｇで試作したが、厚さが小さ        く保管スペースを多くとらない。ただ、質量や大きさにはこだわらない。
（ホ）本案は廃棄時にも濡れている面が少ないのでより衛生的である。
【図面の簡単な説明】
【図１】  本案の平面図を示す。
【図２】  本案の断面図を示す。
【符号の説明】
（１）  試薬をしみこませたろ紙
（２）  フイルム
（３）  試薬名ラベル
（４）  色見本ラベル
（５）  使用時にはさみを入れる方向
【図１】
2010071965.tif 000003
【図２】
2010071965.tif 000004